(57)【要約】【課題】熱が加わると容易に通水性となり、また含浸している寒天が適当にコーヒーや紅茶、緑茶、薬草等の中の苦みや渋みを吸収するようコントロールできる飲料抽出用のフィルタとその製造方法を提供する。【解決手段】フィルタ原紙１をローラ３，５，７を通過する間に水槽９の水１１に漬けて水分を飽和状態にした後、スプレーガン１９，２１から寒天溶液１５を噴射させる。寒天が付着した面からフィルタ原紙内に拡散する途中で乾燥炉２３内で乾燥させることにより、寒天を吹き付けた面から離れるほど単位体積の繊維中に介在する寒天の量が漸減するような濃度傾斜を持つフィルタを製造することができる。フィルタ原紙に代えて抄紙直後の水分が飽和状態のフィルタに同様な方法で寒天を付着させてもよい。【選択図】  図１
2005296023.tif 000002
【特許請求の範囲】
【請求項１】
フィルタ原紙の単位体積当たりの繊維中に介在する寒天の量がフィルタ原紙の表面から内部に向かって漸減するような濃度傾斜を有するように構成されたことを特徴とするフィルタ。
【請求項２】
前記フィルタ原紙の単位体積当たりの繊維中に介在する寒天の量が前記フィルタの２つの表面からフィルタ厚さの中心に向かってそれぞれ漸減するような濃度傾斜を有するように構成されたことを特徴とする請求項１記載のフィルタ。
【請求項３】
前記フィルタ原紙の単位体積当たりの繊維中に介在する寒天の量が前記フィルタの１つの表面から他の表面に向かって漸減するように構成されたことを特徴とする請求項１記載のフィルタ。
【請求項４】
あらかじめ水分をほぼ飽和状態に含浸させたフィルタ原紙に寒天溶液を吹き付け、転写、印刷または浸積等によって前記フィルタ原紙表面に付着させ、寒天溶液がフィルタ原紙中に拡散する途中で乾燥させることにより表面から離れるほど単位体積当たりの繊維中の寒天の量が漸減するような濃度傾斜を有するように形成することを特徴とするフィルタの製造方法。
【請求項５】
抄紙工程から引き出した直後の、水分がほぼ飽和状態のフィルタ原紙に寒天溶液を吹き付け、転写、印刷、または浸積等によって前記フィルタ原紙表面に付着させ、寒天溶液がフィルタ原紙中に拡散する途中で乾燥させることにより表面から離れるほど単位体積当たりの繊維中の寒天の量が漸減するような濃度傾斜を有するように形成することを特徴とするフィルタの製造方法。
【発明の詳細な説明】
【０００１】
【発明の属する技術分野】
本発明はコーヒー豆、紅茶の葉、緑茶の葉、薬草等から飲料を抽出するための飲料抽出用のフィルタに関し、これらの抽出に用いたときには、熱を加えるまでは水分を通さないように、熱を加えた後は容易に水分を通過させるように作用し、また通過する抽出されたコーヒ、紅茶、茶、薬草等の苦味や渋味を軽減して味を調えることのできるようにしたものに関する。
【０００２】
【従来の技術】
従来、コーヒー等の飲料を抽出するために用いるフィルタはパルプ製の紙をそのまま使っていた。本願出願者らは、たとえば特願平２０００−１３６４５４号において、電子レンジを用いてコーヒーを抽出する際に、フィルタ内にコーヒー粉と水を入れ、電子レンジで加熱するまでに抽出が始まらないように、水分がフィルタを通過しないための止水手段としてフィルタに寒天等を含浸させ、水分が電磁波により加熱されて、その熱で寒天が溶解することによって、フィルタが通水し、抽出が行われるという方法を提案した。また同じく特願平２００１−２４２９５９号において、抽出されるコーヒーの渋みや苦みなどを寒天に吸着させ、減少させるためにフィルタに寒天を含浸させ、またそのためにもっとも効果のある材質とその配合等について提案した。
【０００３】
上記のフィルタの一例を従来例の図７に示す。図７は従来例のフィルタの構成略図であり、図７（ａ）はその平面図、（ｂ）は断面図、（ｃ）はフィルタを含浸法で製造したときの構成を示す拡大断面図である。
【０００４】
図７（ａ），（ｂ）において、パルプでできており、寒天を含浸させたフィルタ１００を折り曲げ部１０１で折り曲げ、接合部１０２で圧着、熱圧着、接着等で接合して上部に開口部１０３を有する袋状のフィルタ完成品１０４を形成する。これを図示しない漏斗状の器具に載置し、開口部１０３から図示しないコーヒー粉と水とを入れ、電子レンジ等で加熱する。すると内部の水が加熱され、それによりフィルタ１０４に含浸された寒天も加熱され、フィルタ１０４は抽出されたコーヒーを通過させる。
【０００５】
またはフィルタを図示しない漏斗状の器具に載置し、開口部１０３から図示しないコーヒー粉を入れ、上から加熱した湯を注ぎ、この湯の温度によってフィルタ１０４に含浸された寒天が加熱されて溶解し、フィルタ１０４は抽出されたコーヒーを通過させる。
【０００６】
この過程でフィルタ１０４に含浸された寒天はコーヒー中の苦みや渋みの成分を吸着してフィルタ１０４にとどめ、コーヒーの味をコントロールするように作用する。
【０００７】
図７（ｃ）はこのようなフィルタを作るために寒天を溶解させた液体中に乾燥したフィルタ原紙を漬ける含浸法で製造したフィルタの断面の状態であり、フィルタ１０４の繊維１０５の間に万遍なく寒天１０６が浸透している。
【０００８】
【発明が解決しようとする課題】
ところが、図７（ｃ）のように乾燥したフィルタ原紙をそのまま寒天を溶解かした液に浸けて作る方法には以下のような問題点があった。すなわちフィルタ原紙が乾燥しているので、寒天溶液は毛細管現象でフィルタ原紙の繊維１０５中に急速に浸み込み、表層から深層まで、すみやかに、万遍なく寒天が充満する。そのため加熱されても寒天が容易に解けにくく、繊維中に長くとどまるので、抽出に時間がかかったり、寒天との接触時間が長いために渋みや苦みが吸収されすぎて味が淡泊になるという問題点があった。
【０００９】
また、寒天がフィルタの両面に付着しているので、含浸後の乾燥工程でフィルタを移送するとき、紙送りのためのローラーを通ったときにフィルタに塗布した寒天がローラに付着していき、次第に団子状となり、この団子状の寒天がある程度累積するとフィルタ上に付着することとなり、塗布むらとなる。
【００１０】
さらに紙漉きの工程も含めていえば、紙漉き後にいったん乾燥させ、改めて含浸させ、その後で、また乾燥させなければならないので、乾燥工程が２度にわたり、工程数も増え、また必要なエネルギーも多くなるという問題点があった。
【００１１】
本発明は、このような従来の課題を改善し、よりフィルタの作用を良好にするとともに製造工程も削減できるフィルタ及びその製造方法の提供を目的とする。
【００１２】
【課題を解決するための手段】
上記課題を解決するための本発明のフィルタは、フィルタ原紙の単位体積当たりの繊維中に介在する寒天の量がフィルタ原紙の表面から内部に向かって漸減するような濃度傾斜を有するように構成されたことを特徴とするものである。
具体的には、前記フィルタ原紙の単位体積当たりの繊維中に介在する寒天の量が前記フィルタの２つの表面からフィルタ厚さの中心に向かってそれぞれ漸減するような濃度傾斜を有するように構成されるか、または前記フィルタ原紙の単位体積当たりの繊維中に介在する寒天の量が前記フィルタの１つの表面から他の表面に向かって漸減するような濃度構成を有するように構成されたものである。
【００１３】
このような構成とすることによって、フィルタに熱が加われば容易に寒天が熔解するので、コーヒーの抽出が速やかに行われ、フィルタ中を通過する時間が短いため、コーヒーの苦みや渋みが寒天に吸収されすぎて味が淡泊になるのを防ぎ、良好な抽出結果を得られるように作用する。
【００１４】
また上記課題を解決するための本発明のフィルタの製造方法の一つは、あらかじめ水分をほぼ飽和状態に含浸させたフィルタ原紙に寒天溶液を吹き付け、転写、印刷または浸積等によって前記フィルタ原紙表面に付着させ、寒天溶液がフィルタ原紙中に拡散する途中で乾燥させることにより表面から離れるほど単位体積当たりの繊維中の寒天の量が漸減するような濃度傾斜を有するように形成することを特徴とするものである。
【００１５】
この製造方法によって本発明に示すような構成を有するフィルタを、少ない簡素な工程で製造することができる。
【００１６】
また上記課題を解決するための本発明のフィルタの他の製造方法は、抄紙工程から引き出した直後の、水分がほぼ飽和状態のフィルタ原紙に寒天溶液を吹き付け、転写、印刷、または浸積等によって前記フィルタ原紙表面に付着させ、寒天溶液がフィルタ原紙中に拡散する途中で乾燥させることにより表面から離れるほど単位体積当たりの繊維中の寒天の量が漸減するような濃度傾斜を有するように形成することを特徴とするものであある。
【００１７】
この製造方法によって本発明に示すような構成を有するフィルタを、少ない簡素な工程で、よりエネルギーのロスを少なく製造することができる。
【００１８】
【発明の実施の形態】
以下、図面に基づいて本発明のフィルタおよびその製造方法について説明する。
【００１９】
（実施の形態１）
図１は本発明の実施の形態１のフィルタの製造工程を示す説明図、図２は加工の途中におけるフィルタの状態を示す断面図、図３は加工後のフィルタの状態を示す断面図である。図１において、ロール状に巻回したフィルタ原紙１は、一定速度で、それぞれの回転軸が平行に保持されたローラ３の上面、ローラ５の下面、ローラ７の上面に当接しながら矢印Ａ方向に引き出され、ローラ５の下方は水槽９に満たした水１１中に浸されているので、フィルタ原紙１は、ほぼ飽和状態に水で含浸される。この部分が水に浸す行程である。
【００２０】
そしてローラ７を通って引き出されたフィルタ原紙１は、タンク１３中に蓄えられた寒天溶液１５がポンプ１７によって加圧され、上面スプレーガン１９から下向きに噴射され、また下面スプレーガン２１から上向きに噴射され、その間を通過することによってフイルタ両面の全面に寒天溶液が吹き付けられ、寒天は少しずつ水に濡れたフィルタ原紙１内部に浸透していく。この部分が寒天塗布工程である。図ではスプレーガンは各１個を示しているが、フィルタ原紙１の幅方向に複数個ずつ用意し、幅方向に均一に吹き付けられるようにする。
【００２１】
寒天溶液の浸透があまり進まないうちにフィルタ原紙１の寒天溶液１５が吹き付けられた部分は乾燥炉２３の中に入り、乾燥工程となる。ローラ２５，２７によって反転されながら上ヒーター２９で上面を、下ヒーター３１で下面を乾燥されて巻き上げ完成のために塗布済みフィルタ原紙３３となって引き出される。乾燥炉２３内の温度によって寒天を吹き付けられた部分がローラ２５へ達するまでにローラーに触れても支障ない程度に乾燥されるものとする。乾燥したものは図示しないが、巻き上げ・完成工程にはいる。巻き上げ・完成工程においては必要ならば所定の幅にスリットを入れる等の加工を施してもよい。
【００２２】
ここでは両面に寒天溶液を吹き付けるものとしたが、下面スプレーガン２１、または上面スプレーガン１９の何れかを廃して片面だけに塗布しても差し支えない。その場合ローラ２５までに大体乾燥しておく必要はなく、塗布した面がローラに到達するまでに大体乾燥するように設定すればよい。または乾燥炉２３の全長を長くしてローラ２５，２７を廃してもよい。
【００２３】
このようにフィルタ原紙１に寒天溶液が塗布される過程のフィルタ原紙１内部の状態を図２，図３を用いて説明する。図２はスプレーガン１９，２１を通過した直後であって、図２（ａ）は片面（上面）塗布の場合、図２（ｂ）は両面塗布の場合を示す。フィルタ原紙１の繊維２の間には水１１がたっぷりと含まれている。そしてフィルタ原紙１の吹きつけた面は寒天溶液１５で覆われている。この寒天溶液１５は内部に向かって拡散しようとするが水１１の中に拡散する速度が遅いので、図２（ａ）の場合は下面まで、図２（ｂ）の場合は厚さの中心部まで十分な濃度に達するまでに乾燥炉２３の中に入ってしまい、乾燥が始まり、拡散は途絶える。
【００２４】
図３は乾燥炉２３を出て、塗布済みフィルタ原紙３３となった状態を示し、図３（ａ）の片面の場合は、表面には薄く寒天１６の層があり、表面から離れ下面に向かうに従って繊維２中に介在する単位体積当たりの寒天１６の量が少なくなる（寒天が部分的にしか存在しない）ような濃度傾斜を持つように形成される。図３（ｂ）の両面の場合は、表面から離れて、厚さの中心に向かうに従って繊維２中に介在する単位体積当たりの寒天１６の量が少なくなるような濃度傾斜を持つように形成される。寒天溶液１５の濃度、スプレーガン１９，２１の位置と乾燥炉２３の位置、乾燥炉２３の温度設定、乾燥炉２３の長さ、フィルタ原紙１の巻き取り速度等は、このような寒天溶液１５がフィルタ原紙１内に浸透していく速度を考慮して設定されなければならない。
【００２５】
以上のように本実施形態ではフィルタ原紙１をいったん水に漬け水分をほぼ飽和状態にした後に寒天溶液を吹き付け、この寒天溶液がフィルタ原紙１中に拡散する途中で乾燥炉で乾燥させることにより、寒天溶液塗布面から離れるほど寒天の濃度が低くなるような濃度傾斜を持つように形成できるものである。
【００２６】
このようなフィルタを用いることにより、フィルタ中にコーヒ粉を入れ、熱い湯を加えた場合、またフィルタ中にコーヒ粉と水を入れ、電子レンジで加熱した場合に、いずれも熱により速やかに寒天が溶解して抽出したコーヒーを通過させ、通過に長時間を要しないので、コーヒー中の苦みや渋み成分が寒天に吸収されすぎて淡泊な味になってしまわないようにコントロールすることとなる。
【００２７】
なお、ここではコーヒーを入れることを例として説明したが、本発明のフィルタはコーヒーのみに限定することなく、紅茶、緑茶その他類似の抽出飲料においても、苦みや渋みを軽減して味を調える効果があり、コーヒーと同様に用いることができる。同じ趣旨で薬草からの抽出においても味を調えるために用いることができることはいうまでもない。
【００２８】
（実施の形態２）
図４は実施の形態２のフィルタの製造工程を示す説明図である。図４において、ロール状に巻回したフィルタ原紙１、ローラ３、５，７、水槽９、水１１、乾燥炉２３、ローラ２５，２７、上ヒーター２９、下ヒーター３１等は実施の形態１の図１と同様であり、その構成と作用の説明は省略する。
【００２９】
図４においてローラ７を矢印Ａ方向に通過し、ほぼ飽和状態に水で含浸されたフィルタ原紙１はローラ３５の下面を通過してグラビアメッシュローラ３７の上面に接触してから乾燥炉２３内に引き込まれる。グラビアメッシュローラ３７はメッシュ状に多数の小孔を持ったローラであって、寒天溶液糟３９内に満たした寒天溶液４１内に下方が浸積されている。この寒天溶液４１はオーバーフロー部４３で深さが常に一定に規制され、余ったものはドレーン４５にあふれ出る。ドレーン４５中の寒天溶液は供給パイプ４７で常に一定液量になるように供給され、またポンプ４９で寒天溶液糟３９へ循環されている。
【００３０】
このような構成においてフィルタ原紙１が水槽９から引き出されると、それにつれてグラビアメッシュローラ３７が回転し、寒天溶液糟３９内に満たした寒天溶液４１をその表面に貯めたままフィルタ原紙１の下面に接触し、フィルタ原紙１の下面に寒天溶液４１を転写する。この転写された寒天溶液は水分が含浸されたフィルタ原紙中に拡散する途中で乾燥炉２３に入り乾燥が始まって拡散は中断する。そのためフィルタ原紙１の下面に対して実施の形態１において下面の片面に噴射したと同様の、フィルタの上面に向かうほど寒天の濃度が低くなる濃度傾斜を持つように形成できるものである。
【００３１】
この過程において、寒天溶液４１の濃度、グラビアメッシュローラ３７への寒天溶液の付着量、乾燥炉２３の位置、乾燥炉２３の温度設定、乾燥炉２３の長さ、フィルタ原紙１の巻き取り速度等は、このような寒天溶液４１がフィルタ原紙１内に浸透していく速度を考慮して設定されなければならない。
【００３２】
このように形成した塗布済みフィルタ原紙３３は実施の形態１のものと同様に寒天溶液塗布面から離れるほど寒天の濃度が低くなるような濃度傾斜を持つように形成できるものであり、実施の形態１で加工したものと同様のフィルタ作用を果たすものである。
【００３３】
（実施の形態３）
図５は本発明の実施の形態３のフィルタの製造工程を示す説明図で、図においてタンク１３、寒天溶液１５、ポンプ１７、上面スプレーガン１９、下面スプレーガン２１、乾燥炉２３、ローラ２５，２７、上ヒーター２９、下ヒーター３１等は実施の形態１の図１と同様であり、説明を省略する。図１においてはすでに出来あがったフィルタ原紙１が存在していたが、本実施例はフィルタ原紙をパルプ溶解液から抄紙するところからスタートする。
【００３４】
原料タンク５１にはパルプ溶解液５３が満たされており、このパルプ溶解液５３はポンプ５５の加圧によってタンク５１の下方のスライス５７から勢いよく押し出すことができる。ローラ５９，６１，６３には、たとえばステンレス製の網で作られたエンドレスのメッシュコンベア６５が図示のように架張されていて、ローラ５９，６１，６３の何れか、またはすべてを駆動してメッシュコンベア６５を矢印Ａ方向に駆動する。ローラ６７，６９，７１にはフェルト製のエンドレスのフェルトコンベア７３が図示のように架張されていて、ローラ６７，６９，７１の何れか、またはすべてを駆動してフェルトコンベア７３を矢印Ａ方向に駆動する。水取ローラ７５，７７はフェルトコンベア７３を上下から加圧しながらフェルトコンベア７３に駆動されて回転するように構成されている。
【００３５】
このような構成において、ポンプ５５の加圧によって原料タンク５１のスライス５７から連続的に吐出されたパルプ溶解液５３がメッシュコンベア６５上に薄い膜として載置され、矢印Ａ方向に搬送される。パルプ溶解液５３の吐出速度と、メッシュコンベア６５の移動速度を等しくしておく。するとメッシュコンベア６５の外周側にはパルプ溶解液５３の中のパルプ繊維同士が絡み合った状態で付着し、水をたっぷりと含んだ紙の形で漉きあがる。この漉きあがった紙は、さらにローラ６７，６９，７１によってメッシュコンベア６５と同じ速度で同方向に駆動されるフェルトコンベア７３によって搬送され、水取りローラ７５，７７によって上下から加圧されて、余分な水分が絞り出される。
【００３６】
絞り出された後も水分は第１の実施形態の水槽９中の水１１から上がった直後と同程度の飽和状態になるように加減する。そうすれば漉きあがったフィルタ原紙７９は、図１におけるフィルタ原紙１が水槽９中の水１１から上がった直後と同じ程度の条件となり、フェルトコンベア７３の表面を離れて、ここからは図１と同様な寒天吹きつけ工程を経、フィルタ原紙７９中に寒天溶液が拡散する途中で乾燥工程に入り、乾燥されて塗布済みフィルタ原紙３３となる。
【００３７】
この過程において、実施の形態１と同様に寒天溶液１５の濃度、スプレーガン１９，２１の位置と乾燥炉２３の位置、乾燥炉２３の温度設定、乾燥炉２３の長さ、フィルタ原紙７９の巻き取り速度等は、このような寒天溶液１５がフィルタ原紙７９内に浸透していく速度を考慮して設定されなければならない。後は図示しないスリット・巻き上げ完成工程を経て完成される。実施の形態１と同様に両面塗布も片面塗布も可能である。
【００３８】
このように形成した塗布済みフィルタ原紙３３は実施の形態１のものと同様に吹き付けられた寒天溶液がフィルタ原紙中に拡散する途中で乾燥炉で乾燥させることにより、寒天溶液塗布面から離れるほど寒天の濃度が低くなるような濃度傾斜を持つように形成できるものであり、実施の形態１，２で加工したものと同様のフィルタ作用を果たすものである。
【００３９】
（実施の形態４）
図６は本発明の実施の形態４の製造工程を示す説明図である。図６において、乾燥炉２３、ローラ２５，２７、上ヒーター２９、下ヒーター３１、ローラ３５、グラビアメッシュローラ３７、寒天溶液糟３９、寒天溶液４１、オーバーフロー部４３、ドレーン４５、供給パイプ４７、ポンプ４９、等は実施の形態２の図４と同様であり、その構成と作用の説明は省略する。
【００４０】
また原料タンク５１、パルプ溶解液５３、スライス５７、ローラ５９，６１，６３、メッシュコンベア６５、ローラ６７，６９，７１、フェルトコンベア７３，水取りローラ７５，７７等は実施の形態３の図５と同様であり、これらの構成と作用も説明を省略する。
【００４１】
このような構成において、実施の形態３の図５と同様な処理により水分をほぼ飽和状態に含んだフィルタ原紙７９が得られ、これを図４の実施の形態２と同様に寒天塗布工程以後の処理を行い、塗布済みフィルタ原紙３３を得る。
【００４２】
この過程において、寒天溶液４１の濃度、グラビアメッシュローラ３７への寒天溶液の付着量、乾燥炉２３の位置、乾燥炉２３の温度設定、乾燥炉２３の長さ、フィルタ原紙７９の巻き取り速度等は、このような寒天溶液４１がフィルタ原紙７９内に浸透していく速度を考慮して設定されなければならない。
【００４３】
このように形成した塗布済みフィルタ原紙３３は実施の形態１，２，３のものと同様に寒天溶液塗布面から離れるほど寒天の濃度が低くなるような濃度傾斜を持つように形成できるものであり、実施の形態１，２，３で加工したものと同様のフィルタ作用を果たすものである。
【００４４】
以上実施の形態３，４によればフィルタ原紙を漉き上げて乾燥することなく、そのまま寒天を塗布するので、乾燥したフィルタ原紙を用いる場合に比べて乾燥工程が少なくて済み、工程を簡素に、効率的にできる。
【００４５】
また上記実施形態１，３では、フィルタ原紙表面に寒天溶液を吹き付けており、また上記実施の形態２，４ではフィルタ原紙表面に寒天溶液を転写しているが、このほかに印刷、または寒天溶液中への浸積等によりフィルタ原紙表面に付着させてもよいのはいうまでもない。
【００４６】
さらに上記の各工程の各部の構成は一例であり、ここで説明したと同等の効果が得られれる範囲で細部の構造を変更して実施することは差し支えない。たとえば乾燥炉２３の代わりに図示しないがシリンダードライヤーを用いて同様な乾燥効果を得ることができる。
【００４７】
【発明の効果】
以上説明したように本発明のフィルタはフィルタ原紙の繊維中に介在する単位体積当たりの寒天の量がフィルタ原紙の表面から内面に向かって漸減するような濃度傾斜を持つように加工されたものであり、このフィルタを用いれば、フィルタに熱が加われば容易に寒天が熔解するので、コーヒーの抽出が速やかに行われ、フィルタ中を通過する時間が短いため、コーヒーの苦みや渋みが寒天に吸収されすぎて味が淡泊になるのを防ぎ、良好な抽出結果を得られるものである。
【００４８】
また本発明のフィルタの製造方法によれば、上記のような構成・作用を有するフィルタを簡素な工程で効率的に製造でき、また抄紙工程に連続して加工する場合においてはエネルギーロスを少なくできるという有利な効果が得られる。
【図面の簡単な説明】
【図１】本発明の実施の形態１のフィルタの製造工程を示す説明図
【図２】同じく加工の途中におけるフィルタの状態を示す断面図
【図３】同じく加工後のフィルタの状態を示す断面図
【図４】本発明の実施の形態２のフィルタの製造工程を示す説明図
【図５】本発明の実施の形態３のフィルタの製造工程を示す説明図
【図６】本発明の実施の形態４のフィルタの製造工程を示す説明図
【図７】従来例のフィルタの構成略図
【符号の説明】
１  フィルタ原紙
２  繊維
３、５，７  ローラ
９  水槽
１１  水
１３  タンク
１５  寒天溶液
１６  寒天
１７  ポンプ
１９  上面スプレーガン
２１  下面スプレーガン
２３  乾燥炉
２５，２７  ローラ
２９  上ヒーター
３１  下ヒーター
３３  塗布済みフィルタ原紙
３５  ローラ
３７  グラビアメッシュローラ
３９  寒天溶液糟
４１  寒天溶液
４３  オーバーフロー部
４５  ドレーン
４７  供給パイプ
４９  ポンプ
５１  原料タンク
５３  パルプ溶解液
５５  ポンプ
５７  スライス
５９，６１，６３  ローラ
６５  メッシュコンベア
６７、６９，７１  ローラ
７３  フェルトコンベア
７５，７７  水取りローラ
７９  フィルタ原紙
【図１】
2005296023.tif 000003
【図２】
2005296023.tif 000004
【図３】
2005296023.tif 000005
【図４】
2005296023.tif 000006
【図５】
2005296023.tif 000007
【図６】
2005296023.tif 000008
【図７】
2005296023.tif 000009